(57)【要約】【課題】水酸化ラジカルを発生させるための過酸化水素と電解質とを簡便な構成および方法で得ることができ、さらに小型で携帯性および収納性に優れた金属容器を洗浄する洗浄装置を提供する。【解決手段】本発明の金属容器を洗浄する洗浄装置１は、水に溶けると過酸化水素を発生する過酸化水素発生剤を溶かした洗浄液20を入れた金属容器11に負電圧を印加する負電極５と、洗浄液20に正電圧を印加する正電極６と、負電極５と正電極６との間に電圧を印加する電源７とを備え、電圧印加時に発生する水酸化ラジカルで容器内表面51を洗浄する。過酸化水素発生剤を水に溶かすだけで、汚れ物質の分解力が強い水酸化ラジカルを発生する過酸化水素と、乾電池21程度の低電圧で洗浄液20を電気分解できるようにする電解質との両方を容易に得ることができる。【選択図】図１
2015040314.tif 000002
【特許請求の範囲】
【請求項１】
水に溶けると過酸化水素を発生する過酸化水素発生剤を溶かした洗浄液を入れた金属容器に負電圧を印加する負電極と、
前記洗浄液に正電圧を印加する正電極と、
前記負電極と前記正電極との間に電圧を印加する電源とを備え、
電圧印加時に発生する水酸化ラジカルで容器内表面を洗浄することを特徴とする金属容器を洗浄する洗浄装置。
【請求項２】
前記負電極は前記金属容器の容器開口部に載置されたときに容器金属部に接続され、前記正電極は、棒状であり、前記金属容器内を上下方向に移動可能であることを特徴とする請求項１に記載の金属容器を洗浄する洗浄装置。
【請求項３】
前記過酸化水素発生剤が過炭酸塩、過硼酸塩および過硫酸塩のうちいずれか１種、または２種以上の混合物であることを特徴とする請求項１または２に記載の金属容器を洗浄する洗浄装置。
【請求項４】
金属がむき出しの容器開口端に載置することで、前記負電極が容器金属部に電気的に接触接続されることを特徴とする請求項１〜３のいずれか１項に記載の金属容器を洗浄する洗浄装置。
【請求項５】
容器開口端に載置することで、容器内部にのびている前記負電極が容器内金属部に電気的に接触接続されることを特徴とする請求項１〜３のいずれか１項に記載の金属容器を洗浄する洗浄装置。
【発明の詳細な説明】
【技術分野】
【０００１】
本発明は、水酸化ラジカルで金属容器を洗浄する洗浄装置に関する。
【背景技術】
【０００２】
従来、コーヒーやお茶などの飲料物を収容する金属製の金属容器たる魔法瓶や卓上ポットは、開口部が狭く、その内部を洗いにくい。したがって、容器内部を洗うのに適した形状のスポンジなどが販売されている。しかしながら、魔法瓶等を使用するたびに専用のスポンジで洗うことは、使用者にとって煩わしさを感じるものである。このため、容器内部を水や中性洗剤ですすぐだけといった簡便な方法で洗浄を繰り返していると、容器内表面に付着したコーヒーや茶渋などの飲料物汚れを落としきれず、容器内表面が徐々に変色してしまう。このように変色してしまうと、スポンジでは汚れを容易に落とすことができない。このような場合、酸素系漂白剤などを溶かした洗浄液で容器内を洗浄する必要がある。しかしながら、酸素系漂白剤では、数時間から十数時間も洗浄液に浸しておかなければならず、魔法瓶等をすぐにきれいにして使用したいという要求には応えられない。
【０００３】
このような状況において、別な洗浄方法として、過酸化水素水溶液に正電圧を印加し、被洗浄物に負電圧を印加することで発生する水酸化ラジカルにより、被洗浄物に付着した汚れを分解するもの（例えば特許文献１および２）が知られている。
また、水に溶解することで過酸化水素を発生させる固体状過酸化水素発生剤として、過炭酸塩、過硼酸塩等（例えば特許文献３）が知られている。
【先行技術文献】
【特許文献】
【０００４】
【特許文献１】特開２００２−１７３７９９号公報
【特許文献２】特開２０１１−５６４２２号公報
【特許文献３】特許第４９１２６０８号公報
【発明の概要】
【発明が解決しようとする課題】
【０００５】
上記特許文献１および２では、過酸化水素を用いている。しかしながら、過酸化水素は一般には入手しにくい。尚、過酸化水素は濃度３％程度のオキシドールとして販売されているものの、容器洗浄には大量に使用する必要があり、非経済的である。
【０００６】
上記特許文献３では、化学物質分解剤として固体状過酸化水素発生剤を水に溶解したものを使用している。しかしながら、当該化学物質分解剤は、化学物質で汚染された土壌や地下水などの汚染物を効率的に浄化するものである。すなわち、固体状過酸化水素発生剤を水に溶解したものに対して、水酸化ラジカルを発生させ、当該水酸化ラジカルにより被洗浄物に付着した汚れを分解することについては何の記載もまた示唆もされていない。
【０００７】
そこで、本願発明は、上記した問題点に鑑み、水酸化ラジカルを発生させるための過酸化水素と電解質とを簡便な構成および方法で得ることができ、さらに小型で携帯性および収納性に優れた金属容器を洗浄する洗浄装置を提供することを目的とする。
【課題を解決するための手段】
【０００８】
請求項１の金属容器を洗浄する洗浄装置は、水に溶けると過酸化水素を発生する過酸化水素発生剤を溶かした洗浄液を入れた金属容器に負電圧を印加する負電極と、前記洗浄液に正電圧を印加する正電極と、前記負電極と前記正電極との間に電圧を印加する電源とを備え、電圧印加時に発生する水酸化ラジカルで容器内表面を洗浄することを特徴とする。
【０００９】
請求項２の金属容器を洗浄する洗浄装置は、前記負電極は前記金属容器の容器開口部に載置されたときに容器金属部に接続され、前記正電極は、棒状であり、前記金属容器内を上下方向に移動可能であることを特徴とする。
【００１０】
請求項３の金属容器を洗浄する洗浄装置は、前記過酸化水素発生剤が過炭酸塩、過硼酸塩および過硫酸塩のうちいずれか１種、または２種以上の混合物であることを特徴とする。
【００１１】
請求項４の金属容器を洗浄する洗浄装置は、金属がむき出しの容器開口端に載置することで、前記負電極が容器金属部に電気的に接触接続されることを特徴とする。
【００１２】
請求項５の金属容器を洗浄する洗浄装置は、容器開口端に載置することで、容器内部にのびている前記負電極が容器内金属部に電気的に接触接続されることを特徴とする。
【発明の効果】
【００１３】
請求項１の発明によれば、過酸化水素発生剤を水に溶かすだけで、汚れ物質の分解力が強い水酸化ラジカルを発生する過酸化水素と、乾電池程度の低電圧で洗浄液を電気分解できるようにする電解質との両方を容易に得ることができる。そして、負電圧が印加された金属容器の容器内表面に発生する水酸化ラジカルにより、付着した飲料物汚れを短時間で分解し、容器内表面をきれいに洗浄することができる。
【００１４】
請求項２の発明によれば、正立させた金属容器内に洗浄液を満たし、容器開口部に洗浄装置を載置するので、洗浄装置の負電極と金属容器との直接接続、および、洗浄液を介した正電極と金属容器との接続が容易であるとともに、安定した設置状態で金属容器を洗浄することができる。また、正電極の位置を上下方向に移動させることができるので、深さが異なる容器であっても、容器と正電極との距離を適正に変化させることで、容器内表面の電流分布が一様になり、洗浄ムラを小さくすることができる。
【００１５】
請求項３の発明によれば、過炭酸塩、過硼酸塩および過硫酸塩は酸素系漂白剤として容易に入手することができるので、過酸化水素発生剤を容易に得ることができる。
【００１６】
請求項４の発明によれば、洗浄装置を容器開口端に載置するだけで、負電極を容器開口部のむき出しの金属に電気的に接触接続させることができる。
【００１７】
請求項５の発明によれば、洗浄装置の負電極が容器内部にのびているので、容器開口端が樹脂などの非導電性部材で覆われていても、洗浄装置を容器開口端に載置するだけで、容器内部に入った負電極を容器内金属部に電気的に接触接続させることができる。
【図面の簡単な説明】
【００１８】
【図１】本発明の実施例１を示す断面図である。
【図２】同上、装置本体の蓋体を取り外した状態の斜視図である。
【図３】同上、基台を底面側から見た斜視図である。
【図４】同上、蓋体の斜視図である。
【図５】同上、正電極の一部にカバーを被覆した様子を示す断面図である。
【図６】本発明の実施例２を示す断面図である。
【図７】本発明の実施例３を示す断面図である。
【図８】同上、補助部材の側面図である。
【図９】同上、補助部材の斜視図である。
【図１０】同上、補助部材の上面図である。
【図１１】本発明の実施例４を示す断面図である。
【発明を実施するための形態】
【００１９】
本発明における好適な実施の形態について、添付図面を参照しながら詳細に説明する。尚、以下に説明する実施の形態は、特許請求の範囲に記載された本発明の内容を限定するものではない。また、以下に説明する構成の全てが、本発明の必須要件であるとは限らない。
（金属がむき出しの容器開口端を有する金属容器を洗浄する洗浄装置）
【実施例１】
【００２０】
図１〜図４は本発明の実施例１における金属容器を洗浄する洗浄装置を示すものである。
【００２１】
図１は、本実施例の洗浄装置１を金属容器11の容器開口部31に載置した状態を示す断面図である。洗浄装置１は、装置本体２を備える。装置本体２は、蓋体３と基台４とで構成され、基台４には負電極５が設けられている。装置本体２の中心には、棒状の正電極６が挿通されている。蓋体３および基台４は例えば樹脂製である。図２は、装置本体２の蓋体３を取り外した状態の斜視図である。同図に示すように、図１では省略している電源７たる電池21を収容する電池ボックス22が基台４上に設けられている。また、正電極６が挿通される正電極挿通部23、板バネ８を収容する板バネ収容部材24、電源７をＯＮ／ＯＦＦするスイッチ25、および、スイッチ25を載置するスイッチ台26が基台４上に設けられている。
【００２２】
図１に示す金属容器11は、金属製真空二重容器である。同図において、金属容器11は、内筒部12の底に内底板部13を有する内容器14と、外筒部15の底に外底板部16を有する外容器17とにおいて、それぞれの上部開口18を接合したものである。そして、内容器14と外容器17との間隙には真空断熱空間19が形成される。このように、金属容器11の容器開口部31の外周には、接合された容器開口端32が形成される。この容器開口端32は金属がむき出しの状態であり、容器開口端32に負電圧を印加することで、金属容器11に負電圧を印加することができる。内容器14と外容器17はそれぞれ例えばステンレス鋼によって形成される。金属容器11を洗浄する際、金属容器11内部には、水に溶けると過酸化水素を発生する過酸化水素発生剤を溶かした洗浄液20が入れられる。
【００２３】
図３は、基台４を底面側から見た斜視図を示している。基台４の底面中心部には、円筒部41と、円筒部41の下端から下方へ次第に径小となる逆裁頭円錐形状の円錐部42とで構成される段差部43が形成される。段差部43は、蓋体３および基台４と同じ樹脂製であり、段差部43中央の下部開口部44に挿入される正電極６と金属容器11とが接触しないようになっている。
【００２４】
負電極５は、例えばステンレスを平面ドーナツ状に形成した平面円板負電極45であり、電源７のマイナス極に接続される。そして、負電極５は、金属容器11と接触する側である洗浄装置１の下面に固定される。こうして電源７から負電極５に負電圧を印加することができる。
【００２５】
平面円板負電極45の中心部には負電極孔46が開いている。負電極孔46の直径は、電源７のプラス極に接続される棒状の正電極６の直径より大きくなっており、負電極５と正電極６とが接触しないようになっている。また、負電極孔46の直径は段差部43の上縁47の直径よりも若干大きく、基台４の下部内周縁48の直径よりも若干小さくなっている。かかる構成により、負電極５は段差部43と基台４の下部内周縁48との間に嵌め込まれることができる。下部内周縁48は、負電極５よりも突出しているので、洗浄装置１が容器開口部32から外れて落ちないように、周縁段差部49として機能する。
【００２６】
また、平面円板負電極45の半径方向の幅は、容器開口端32の幅よりも大きくなっており、洗浄装置１を安定して載置することができる。そして、容器開口端32に洗浄装置１を載置するだけで、金属がむき出しの容器開口端32に負電極５が電気的に接触接続されることができる。すなわち、容器開口端32に洗浄装置１を載置するだけで、負電極５が容器金属部50に電気的に接触接続されるので、その容器内表面51に汚れが付着した容器金属部50に負電圧を印加することできる。また、平面円板負電極45が所定の幅を有することで、容器開口部31の大きさが異なる金属容器11に対しても使用することができ、汎用性が向上する。
【００２７】
負電極５は、容器開口端32の全周と接触する必要はなく、一部が接触するものでもよい。したがって、負電極５は、平面ドーナツ状の平面円板負電極45ではなく、小片板状の電極であってもよい。また、負電極５は、板状ではなく、例えばクリップのように容器開口端32の一部を挟み込むものであったり、容器開口端32の外側52に接触するように形成されたりするものであってもよい。
【００２８】
棒状の正電極６は、蓋体３に形成される上部開口部61と、段差部43に形成される下部開口部44とを連通する正電極挿通部23に挿入される。当該正電極６には、電源７のプラス極に接続された金属製の板バネ８が圧接している。こうして電源７から正電極６に正電圧を印加することができる。さらに、正電極６と電源７のプラス極との接続を保ったまま、正電極６を上下方向に移動させることができる。また図３に示すように、段差部43内の正電極挿通部23の途中にはリング状のパッキン62が設けられている。板バネ８およびパッキン62で棒状の正電極６を保持することにより、正電極６が抜け落ちることを確実に防ぐことができる。洗浄装置１の使用時、正電極６は金属容器11内の洗浄液20中に挿入される。こうして正電極６により洗浄液20に正電圧を印加することができる。正電極６は例えばステンレス製である。
【００２９】
また、正電極６は、板バネ８およびパッキン62で保持されているので、正電極挿通部23から容易に抜き差しすることができる。したがって、金属容器11の洗浄後、正電極６に汚れ等が付着したり変色したりしたときには、正電極６を取り外して簡便に洗浄することができる。
【００３０】
正電極６の容器側先端63は例えば樹脂等の非導電性部材からなる先端カバー64で覆われており、正電極６と金属容器11とが直接接触しないように構成される。
【００３１】
図４は蓋体３の斜視図であり、蓋体３は、その下端65に係止爪部66を有する係止部67を備えている。係止爪部66は基台４の係止受け部68に係止され、蓋体３が基台４に固定されるようになっている。係止部67の両側部には、鉛直方向に所定の長さのスリット69が設けられており、係止部67が蓋体３の内側方向に押動可能になっている。したがって、係止部67を押して蓋体３の内側方向に押動することにより、蓋体３と基台４との取付けおよび取外しを容易に行うことができる。また、蓋体３の上面70には、正電極６が挿入される上部開口部61と、スイッチ25が露出するスイッチ開口部71とが設けられている。
【００３２】
また、洗浄装置１はスイッチ25によりＯＮ／ＯＦＦが可能であり、ＯＮの状態では通電して負電極５と正電極６との間に電圧が印加され、ＯＦＦの状態では通電が遮断される。使用者がスイッチ25を操作してＯＮ／ＯＦＦを切替えることも可能であるが、所望の時間でＯＦＦになるようにタイマー機能を持たせてもよい。
【００３３】
洗浄液20を入れた金属容器11の容器開口端32に洗浄装置１を載置し、スイッチ25を操作して負電極５と正電極６との間に電圧を印加すると、金属容器11に負電圧が印加され、洗浄液20に正電圧が印加される。こうして、洗浄液20は水酸化ラジカル（・ＯＨ）を発生し、当該水酸化ラジカルにより、金属容器11の容器内表面51に付着した汚れ物質を分解し、容器内表面51を洗浄することができる。
【００３４】
過酸化水素発生剤は、過炭酸塩、過硼酸塩および過硫酸塩のうちいずれか１種、または２種以上の混合物であることが好ましい。特に、過炭酸ナトリウム、過硼酸ナトリウムおよび過硫酸ナトリウムが入手しやすく望ましい。これらの過酸化水素発生剤を、単独で用いても、混合して用いてもよい。尚、過炭酸ナトリウム、過硼酸ナトリウムおよび過硫酸ナトリウムは、医薬部外品原料規格２００６に定められているものである。
【００３５】
容量が２００〜３０００ｍｌ程度の金属容器11に対しては、負電極５と正電極６との間に印加する電圧を１．５〜１５Ｖとし、過酸化水素発生剤の濃度を１〜１０ｗｔ％とすることで、所望の電流密度が得られ、１〜１０分で洗浄工程が完了する。電圧および過酸化水素発生剤濃度が低すぎると所望の時間内に洗浄が終わらず、逆に高すぎると電池21や過酸化水素発生剤が無駄になり望ましくない。
【００３６】
本実施例の洗浄装置１は、低電圧で動作するので、電源７として乾電池21等を使用可能である。この場合、感電を防止することができるので、安全に使用することができる。
【００３７】
本実施例では負電極５、正電極６および電源７が一体の装置となるので、洗浄装置１は小型で携帯性および収納性に優れている。
【００３８】
尚、電源７は乾電池21に限定されるものではなく、例えば、家庭用１００Ｖ交流電源を直流に変換するアダプタを使用してもよい。
【００３９】
また、図５に示すように、正電極６の一部を樹脂などの非導電性部材からなるカバー72で覆ってもよい。正電極６の一部をカバー72で覆うことにより、電流分布を調整することができる。特に魔法瓶では、止水性を確保するために、容器内面の開口部付近の直径が絞られ、径小となっている場合がある。このような場合、径小となっている径小部73で、正電極６と容器内面74の距離が小さくなり、電流分布が集中してしまう。これに対し、径小部73付近の正電極６の部分をカバー72で覆うことにより、均一な洗浄性を得ることができる。
【００４０】
このように本実施例では、請求項１に対応して、水に溶けると過酸化水素を発生する過酸化水素発生剤を溶かした洗浄液20を入れた金属容器11に負電圧を印加する負電極５と、洗浄液20に正電圧を印加する正電極６と、負電極５と正電極６との間に電圧を印加する電源７とを備え、電圧印加時に発生する水酸化ラジカルで容器内表面51を洗浄することで、過酸化水素発生剤を水に溶かすだけで、汚れ物質の分解力が強い水酸化ラジカルを発生する過酸化水素と、乾電池21程度の低電圧で洗浄液20を電気分解できるようにする電解質との両方を容易に得ることができる。そして、負電圧が印加された金属容器11の容器内表面51に発生する水酸化ラジカルにより、付着した飲料物汚れを短時間で分解し、容器内表面51をきれいに洗浄することができる。
【００４１】
また、このように本実施例では、請求項２に対応して、負電極５は金属容器11の容器開口部31に載置されたときに容器金属部50に接続され、正電極６は、棒状であり、金属容器11内を上下方向に移動可能であることで、正立させた金属容器11内に洗浄液20を満たし、容器開口部31に洗浄装置１を載置するので、洗浄装置１の負電極５と金属容器11との直接接続、および、洗浄液20を介した正電極６と金属容器11との接続が容易であるとともに、安定した設置状態で金属容器11を洗浄することができる。また、正電極６の位置を上下方向に移動させることができるので、深さが異なる容器であっても、容器と正電極６との距離を適正に変化させることで、容器内表面51の電流分布が一様になり、洗浄ムラを小さくすることができる。
【００４２】
また、このように本実施例では、請求項３に対応して、過酸化水素発生剤が過炭酸塩、過硼酸塩および過硫酸塩のうちいずれか１種、または２種以上の混合物であることで、過炭酸塩、過硼酸塩および過硫酸塩は酸素系漂白剤として容易に入手することができるので、過酸化水素発生剤を容易に得ることができる。
【００４３】
また、このように本実施例では、請求項４に対応して、金属がむき出しの容器開口端32に載置することで、負電極５が容器金属部50に電気的に接触接続されるので、洗浄装置１を容器開口端32に載置するだけで、負電極５を容器開口端32のむき出しの金属に電気的に接触接続させることができる。
【実施例２】
【００４４】
図６は、本発明の実施例２を上記実施例１と同一部分と同一符号を付し、その詳細な説明を省略して詳述する。この例では、正電極６’は容器内表面51の形状に沿った形状に形成されている。実施例１の正電極６は金属容器11のほぼ中心に位置するのに対し、本実施例の正電極６’は中心位置から容器内表面51により近い位置に配置される。尚、図６では、正電極６’は二股に分かれているが、容器内表面51の電流分布がより大きく且つ均一になるように、三股以上に分かれるようにしてもよい。このように本実施例でも、上記実施例１と同様の作用および効果を奏し、さらに、正電極６’を容器内表面の形状に沿わせることで、正電極６の場合に比べ、正電極６’を容器内表面51により近づけることができる。
（金属開口端が樹脂で被覆された金属容器を洗浄する洗浄装置）
【実施例３】
【００４５】
図７は、本発明の実施例３を上記実施例１と同一部分に同一符号を付し、その詳細な説明を省略して詳述する。同図の金属容器11’は、実施例１と同様に金属製真空二重容器である。しかしながら、当該金属容器11’では、内容器14および外容器17のそれぞれの上部開口18が接合された金属開口端75が、樹脂製の注ぎ口部材81および取手部材82に被覆されている。したがって、金属容器11’の容器開口端32は金属がむき出しになっておらず、実施例１の洗浄装置１をそのまま使用することができない。そこで、本実施例の洗浄装置１’は、実施例１の洗浄装置１と組み合わせて使用される補助部材９を備える。補助部材９は例えば樹脂製である。
【００４６】
図８〜１０は、本実施例の補助部材９を示している。補助部材９は、上円筒部83、上円筒部83よりも径小の中円筒部84、さらに中円筒部84よりも外周が径小の下円筒部85を備える。上円筒部83内には、フランジ部86が設けられる。中円筒部84の上面87はフランジ部86の下面88に当接している。下円筒部85の上面89は中円筒部84の下面90に当接している。また、上円筒部83は、図１０に示すように、４つの補助段差部91に分割され、当該補助段差部91により、実施例１の洗浄装置１の落下を防止するようになっている。補助段差部91の数は４つに限定されるものではなく、他の個数であっても、分割せずに上円筒部83の第１底面92の全周を囲むものであってもよい。また、上円筒部83の中央には、段差部43に対応する段差部用孔95が形成される。そして、段差部用孔95の外周縁96から外側方向に向かって、補助電極用溝97が形成される。補助電極用溝97の外側端であって中円筒部の上端部には、水平方向にのびる回動軸98が設けられる。また、下円筒部85の側面には、本実施例の負電極たる補助電極99の位置に対応して、スリット100が設けられる。
【００４７】
図７に示すように、実施例１の洗浄装置１が補助部材９に載置される際、段差部43が段差部用孔95の上縁部101に接触している。当該洗浄装置１が安定して載置されるよう、図１０に示すように、段差部用孔95の上縁部101にテーパ-部102を設けてもよい。
【００４８】
また、補助部材９は、下方にのびた例えばステンレス製の補助電極99を備える。補助電極99は、補助電極用溝97から突出した突出電極部103と、補助部材９の下方にのび、容器内の容器金属部50に接触する接触電極部104とを備える。そして、補助電極99の下端（先端）110は自由端となっている。さらに、突出電極部103と接触電極部104との間には、補助部材の回同軸98に取付けられる回動部105が形成される。回動部105は回動軸98の直径に合わせた湾曲部106を有する。突出電極部103と湾曲部106との間には第１屈曲部107が形成され、湾曲部106と接触電極部104との間には第２屈曲部108が形成される。第１屈曲部107と第２屈曲部108とは逆方向に屈曲しており、突出電極部103が押下されると、補助電極99が回動軸98回りに回動し、接触電極部104が外方向に押し広げられる。接触電極部104が外方向に押し広げられる際、接触電極部104はスリット100の間を通るようになっている。したがって、接触電極部104は、少なくとも補助部材９の下円筒部85の外側まで押し広げられることができる。
【００４９】
補助部材９が容器開口端32'に載置されると、補助電極99は容器内部に挿入される。補助部材９の上に、実施例１の洗浄装置１を載置すると、突出電極部103と負電極５とが接触し、突出電極部103が押下される。突出電極部103が押下されると、補助電極99が回動軸98回りに回動し、接触電極部104が外方向に押し広げられる。押し広げられた接触電極部104は、容器内の容器金属部50である容器内金属部109に接触して電気的に接続され、容器内金属部109に負電圧が印加される。こうして洗浄装置１’を容器開口端32'に載置するだけで、容器内金属部109に負電圧を印加することができる。
【００５０】
図７においては、中円筒部84の第２底面93が容器開口端32'に接触している。しかしながら、容器開口端32'の直径の大きさに応じて、上円筒部84の第１底面92または下円筒部85の第３底面94が容器開口端32'に接触するようになっている。こうして、本実施例の洗浄装置１’は、容器開口部31の大きさが異なる金属容器11’に対応することができ、汎用性に優れている。
【００５１】
このように本実施例では、請求項５に対応して、容器開口端32’に載置することで、容器内部にのびている負電極99が容器内金属部109に電気的に接触接続されることから、洗浄装置１’の負電極99が容器内部にのびているので、容器開口端32’が樹脂などの非導電性部材81、82で覆われていても、洗浄装置１’を容器開口端32’に載置するだけで、容器内部に入った負電極99を容器内金属部109に電気的に接触接続させることができる。
【実施例４】
【００５２】
図１１は、本発明の実施例４を上記実施例１〜３と同一部分と同一符号を付し、その詳細な説明を省略して詳述する。本実施例の洗浄装置１’は、上記実施例３とは形状が異なる補助電極99’を備える。この例では、負電極たる補助電極99’は径小部73よりも大きい直径を有するコイル状電極111である。このコイル状電極111を径小部73にねじ込むことで、コイル状電極111は、付勢された状態で容器内金属部109に電気的に接触接続される。このように本実施例でも、上記実施例３と同様の作用および効果を奏し、さらに、補助電極99’と容器内金属部109との接触面積を大きくすることができる。
【００５３】
尚、本発明は、本実施例に限定されるものではなく、本発明の要旨の範囲内で種々の変形実施が可能である。例えば、正電極６は複数であってもよい。正電極６を複数設けることで、容器内表面51の電流分布がより大きく且つ均一になる。また、実施例３の洗浄装置１’は、実施例１の洗浄装置１と補助部材９とが別体である場合を示したが、これらが一体に形成されてもよい。また、補助電極99は１本でも複数本でもよい。さらに、補助電極99は、予め外側に広がるように付勢されていても、下方鉛直方向にのびるものであってもよい。
【符号の説明】
【００５４】
１，１’  洗浄装置
５  負電極
６  正電極
７  電源
11，11’  金属容器
20  洗浄液
31  容器開口部
32，32’  容器開口端
50  容器金属部
51  容器内表面
99，99’  補助電極（負電極）
109  容器内金属部
【図１】
2015040314.tif 000003
【図２】
2015040314.tif 000004
【図３】
2015040314.tif 000005
【図４】
2015040314.tif 000006
【図５】
2015040314.tif 000007
【図６】
2015040314.tif 000008
【図７】
2015040314.tif 000009
【図８】
2015040314.tif 000010
【図９】
2015040314.tif 000011
【図１０】
2015040314.tif 000012
【図１１】
2015040314.tif 000013
【手続補正書】
【提出日】平成26年10月31日(2014.10.31)
【手続補正１】
【補正対象書類名】特許請求の範囲
【補正対象項目名】全文
【補正方法】変更
【補正の内容】
【特許請求の範囲】
【請求項１】
正立させたときに上面に容器開口部を有する金属容器の内部を、前記金属容器内に洗浄液を満たして洗浄する、金属容器を洗浄する洗浄装置において、
基台と、
前記基台に設けられる負電極と、
前記基台に設けられた正電極挿通部に挿通される棒状の正電極と、
前記基台上に設けられ、前記負電極と前記正電極との間に電圧を印加する電源とを備え、
前記金属容器を洗浄する際、
前記負電極は前記金属容器の容器金属部に電気的に接続され、
前記正電極は、水に溶けると過酸化水素を発生する過酸化水素発生剤が溶かされた前記洗浄液中に、前記容器開口部から挿入され、
電圧印加時に発生する水酸化ラジカルで容器内表面を洗浄することを特徴とする金属容器を洗浄する洗浄装置。
【請求項２】
前記正電極挿通部は、前記基台の中心部に設けられていることを特徴とする請求項１に記載の金属容器を洗浄する洗浄装置。
【請求項３】
前記正電極は、前記正電極挿通部に対して抜き差し可能であることを特徴とする請求項１に記載の金属容器を洗浄する洗浄装置。
【請求項４】
前記正電極には、前記電源のプラス極に接続された金属製の板バネが圧接していることを特徴とする請求項１に記載の金属容器を洗浄する洗浄装置。
【請求項５】
前記過酸化水素発生剤が過炭酸塩、過硼酸塩および過硫酸塩のうちいずれか１種、または２種以上の混合物であることを特徴とする請求項１〜４のいずれか１項に記載の金属容器を洗浄する洗浄装置。
【請求項６】
前記負電極が、金属がむき出しの容器開口端に載置されることで、前記負電極が前記容器金属部に電気的に接触接続されることを特徴とする請求項１〜５のいずれか１項に記載の金属容器を洗浄する洗浄装置。
【請求項７】
前記基台が載置される補助部材をさらに備え、
前記補助部材は正立させたときに下方にのびた補助電極を有し、
前記補助部材が容器開口端に載置されると、
前記補助電極は容器内部に挿入され、
前記補助電極の一端が前記負電極と電気的に接触接続し、前記補助電極の接触電極部が容器内の前記容器金属部である容器内金属部に接触して電気的に接続されることで、
前記負電極が前記補助電極を介して前記容器金属部に電気的に接続されることを特徴とする請求項１〜５のいずれか１項に記載の金属容器を洗浄する洗浄装置。
【手続補正２】
【補正対象書類名】明細書
【補正対象項目名】全文
【補正方法】変更
【補正の内容】
【発明の詳細な説明】
【技術分野】
【０００１】
本発明は、水酸化ラジカルで金属容器を洗浄する洗浄装置に関する。
【背景技術】
【０００２】
従来、コーヒーやお茶などの飲料物を収容する金属製の金属容器たる魔法瓶や卓上ポットは、開口部が狭く、その内部を洗いにくい。したがって、容器内部を洗うのに適した形状のスポンジなどが販売されている。しかしながら、魔法瓶等を使用するたびに専用のスポンジで洗うことは、使用者にとって煩わしさを感じるものである。このため、容器内部を水や中性洗剤ですすぐだけといった簡便な方法で洗浄を繰り返していると、容器内表面に付着したコーヒーや茶渋などの飲料物汚れを落としきれず、容器内表面が徐々に変色してしまう。このように変色してしまうと、スポンジでは汚れを容易に落とすことができない。このような場合、酸素系漂白剤などを溶かした洗浄液で容器内を洗浄する必要がある。しかしながら、酸素系漂白剤では、数時間から十数時間も洗浄液に浸しておかなければならず、魔法瓶等をすぐにきれいにして使用したいという要求には応えられない。
【０００３】
このような状況において、別な洗浄方法として、過酸化水素水溶液に正電圧を印加し、被洗浄物に負電圧を印加することで発生する水酸化ラジカルにより、被洗浄物に付着した汚れを分解するもの（例えば特許文献１および２）が知られている。
【０００４】
また、水に溶解することで過酸化水素を発生させる固体状過酸化水素発生剤として、過炭酸塩、過硼酸塩等（例えば特許文献３）が知られている。
【先行技術文献】
【特許文献】
【０００５】
【特許文献１】特開２００２−１７３７９９号公報
【特許文献２】特開２０１１−５６４２２号公報
【特許文献３】特許第４９１２６０８号公報
【発明の概要】
【発明が解決しようとする課題】
【０００６】
上記特許文献１および２では、過酸化水素を用いている。しかしながら、過酸化水素は一般には入手しにくい。尚、過酸化水素は濃度３％程度のオキシドールとして販売されているものの、容器洗浄には大量に使用する必要があり、非経済的である。
【０００７】
上記特許文献３では、化学物質分解剤として固体状過酸化水素発生剤を水に溶解したものを使用している。しかしながら、当該化学物質分解剤は、化学物質で汚染された土壌や地下水などの汚染物を効率的に浄化するものである。すなわち、固体状過酸化水素発生剤を水に溶解したものに対して、水酸化ラジカルを発生させ、当該水酸化ラジカルにより被洗浄物に付着した汚れを分解することについては何の記載もまた示唆もされていない。
【０００８】
そこで、本願発明は、上記した問題点に鑑み、水酸化ラジカルを発生させるための過酸化水素と電解質とを簡便な構成および方法で得ることができ、さらに小型で携帯性および収納性に優れた金属容器を洗浄する洗浄装置を提供することを目的とする。
【課題を解決するための手段】
【０００９】
請求項１の金属容器を洗浄する洗浄装置は、正立させたときに上面に容器開口部を有する金属容器の内部を、前記金属容器内に洗浄液を満たして洗浄する、金属容器を洗浄する洗浄装置において、基台と、前記基台に設けられる負電極と、前記基台に設けられた正電極挿通部に挿通される棒状の正電極と、前記基台上に設けられ、前記負電極と前記正電極との間に電圧を印加する電源とを備え、前記金属容器を洗浄する際、前記負電極は前記金属容器の容器金属部に電気的に接続され、前記正電極は、水に溶けると過酸化水素を発生する過酸化水素発生剤が溶かされた前記洗浄液中に、前記容器開口部から挿入され、電圧印加時に発生する水酸化ラジカルで容器内表面を洗浄することを特徴とする。
【００１０】
請求項２の金属容器を洗浄する洗浄装置は、前記正電極挿通部が前記基台の中心部に設けられていることを特徴とする。
【００１１】
請求項３の金属容器を洗浄する洗浄装置は、前記正電極が前記正電極挿通部に対して抜き差し可能であることを特徴とする。
【００１２】
請求項４の金属容器を洗浄する洗浄装置は、前記正電極には、前記電源のプラス極に接続された金属製の板バネが圧接していることを特徴とする。
【００１３】
請求項５の金属容器を洗浄する洗浄装置は、前記過酸化水素発生剤が過炭酸塩、過硼酸塩および過硫酸塩のうちいずれか１種、または２種以上の混合物であることを特徴とする。
【００１４】
請求項６の金属容器を洗浄する洗浄装置は、前記負電極が、金属がむき出しの容器開口端に載置されることで、前記負電極が前記容器金属部に電気的に接触接続されることを特徴とする。
【００１５】
請求項７の金属容器を洗浄する洗浄装置は、前記基台が載置される補助部材をさらに備え、前記補助部材は正立させたときに下方にのびた補助電極を有し、前記補助部材が容器開口端に載置されると、前記補助電極は容器内部に挿入され、前記補助電極の一端が前記負電極と電気的に接触接続し、前記補助電極の接触電極部が容器内の前記容器金属部である容器内金属部に接触して電気的に接続されることで、前記負電極が前記補助電極を介して前記容器金属部に電気的に接続されることを特徴とする。
【発明の効果】
【００１６】
請求項１〜３の発明によれば、正立させた金属容器内に洗浄液を満たし、過酸化水素発生剤を水に溶かすだけで、汚れ物質の分解力が強い水酸化ラジカルを発生する過酸化水素と、乾電池程度の低電圧で洗浄液を電気分解できるようにする電解質との両方を容易に得ることができる。そして、負電圧が印加された金属容器の容器内表面に発生する水酸化ラジカルにより、付着した飲料物汚れを短時間で分解し、容器内表面をきれいに洗浄することができる。
【００１７】
請求項４の発明によれば、棒状の正電極には、電源のプラス極に接続された金属製の板バネが圧接していることから、正電極の位置を上下方向に移動させることができるので、深さが異なる容器であっても、容器と正電極との距離を適正に変化させることで、容器内表面の電流分布が一様になり、洗浄ムラを小さくすることができる。
【００１８】
請求項５の発明によれば、過炭酸塩、過硼酸塩および過硫酸塩は酸素系漂白剤として容易に入手することができるので、過酸化水素発生剤を容易に得ることができる。
【００１９】
請求項６の発明によれば、洗浄装置の負電極を容器開口端に載置するだけで、負電極を容器開口部のむき出しの金属に電気的に接触接続させることができる。また、正立させた金属容器内に洗浄液を満たし、容器開口部に洗浄装置の負電極を載置するので、洗浄装置の負電極と金属容器との直接接続、および、洗浄液を介した正電極と金属容器との接続が容易であるとともに、安定した設置状態で金属容器を洗浄することができる。
【００２０】
請求項７の発明によれば、洗浄装置の負電極に電気的に接触接続された補助電極が容器内部にのびているので、容器開口端が樹脂などの非導電性部材で覆われていても、基台を載置した補助部材からなる洗浄装置を容器開口端に載置するだけで、容器内部に入った補助電極を容器内金属部に電気的に接触接続させることができ、負電極が補助電極を介して容器金属部に電気的に接続される。
【図面の簡単な説明】
【００２１】
【図１】本発明の実施例１を示す断面図である。
【図２】同上、装置本体の蓋体を取り外した状態の斜視図である。
【図３】同上、基台を底面側から見た斜視図である。
【図４】同上、蓋体の斜視図である。
【図５】同上、正電極の一部にカバーを被覆した様子を示す断面図である。
【図６】本発明の実施例２を示す断面図である。
【図７】本発明の実施例３を示す断面図である。
【図８】同上、補助部材の側面図である。
【図９】同上、補助部材の斜視図である。
【図１０】同上、補助部材の上面図である。
【図１１】本発明の実施例４を示す断面図である。
【発明を実施するための形態】
【００２２】
本発明における好適な実施の形態について、添付図面を参照しながら詳細に説明する。尚、以下に説明する実施の形態は、特許請求の範囲に記載された本発明の内容を限定するものではない。また、以下に説明する構成の全てが、本発明の必須要件であるとは限らない。
（金属がむき出しの容器開口端を有する金属容器を洗浄する洗浄装置）
【実施例１】
【００２３】
図１〜図４は本発明の実施例１における金属容器を洗浄する洗浄装置を示すものである。
【００２４】
図１は、本実施例の洗浄装置１を金属容器11の容器開口部31に載置した状態を示す断面図である。洗浄装置１は、装置本体２を備える。装置本体２は、蓋体３と基台４とで構成され、基台４には負電極５が設けられている。装置本体２の中心には、棒状の正電極６が挿通されている。蓋体３および基台４は例えば樹脂製である。図２は、装置本体２の蓋体３を取り外した状態の斜視図である。同図に示すように、図１では省略している電源７たる電池21を収容する電池ボックス22が基台４上に設けられている。また、正電極６が挿通される正電極挿通部23、板バネ８を収容する板バネ収容部材24、電源７をＯＮ／ＯＦＦするスイッチ25、および、スイッチ25を載置するスイッチ台26が基台４上に設けられている。
【００２５】
図１に示す金属容器11は、金属製真空二重容器である。同図において、金属容器11は、内筒部12の底に内底板部13を有する内容器14と、外筒部15の底に外底板部16を有する外容器17とにおいて、それぞれの上部開口18を接合したものである。そして、内容器14と外容器17との間隙には真空断熱空間19が形成される。このように、金属容器11の容器開口部31の外周には、接合された容器開口端32が形成される。この容器開口端32は金属がむき出しの状態であり、容器開口端32に負電圧を印加することで、金属容器11に負電圧を印加することができる。内容器14と外容器17はそれぞれ例えばステンレス鋼によって形成される。金属容器11を洗浄する際、金属容器11内部には、水に溶けると過酸化水素を発生する過酸化水素発生剤を溶かした洗浄液20が入れられる。
【００２６】
図３は、基台４を底面側から見た斜視図を示している。基台４の底面中心部には、円筒部41と、円筒部41の下端から下方へ次第に径小となる逆裁頭円錐形状の円錐部42とで構成される段差部43が形成される。段差部43は、蓋体３および基台４と同じ樹脂製であり、段差部43中央の下部開口部44に挿入される正電極６と金属容器11とが接触しないようになっている。
【００２７】
負電極５は、例えばステンレスを平面ドーナツ状に形成した平面円板負電極45であり、電源７のマイナス極に接続される。そして、負電極５は、金属容器11と接触する側である洗浄装置１の下面に固定される。こうして電源７から負電極５に負電圧を印加することができる。
【００２８】
平面円板負電極45の中心部には負電極孔46が開いている。負電極孔46の直径は、電源７のプラス極に接続される棒状の正電極６の直径より大きくなっており、負電極５と正電極６とが接触しないようになっている。また、負電極孔46の直径は段差部43の上縁47の直径よりも若干大きく、基台４の下部内周縁48の直径よりも若干小さくなっている。かかる構成により、負電極５は段差部43と基台４の下部内周縁48との間に嵌め込まれることができる。下部内周縁48は、負電極５よりも突出しているので、洗浄装置１が容器開口端32から外れて落ちないように、周縁段差部49として機能する。
【００２９】
また、平面円板負電極45の半径方向の幅は、容器開口端32の幅よりも大きくなっており、洗浄装置１を安定して載置することができる。そして、容器開口端32に洗浄装置１を載置するだけで、金属がむき出しの容器開口端32に負電極５が電気的に接触接続されることができる。すなわち、容器開口端32に洗浄装置１を載置するだけで、負電極５が容器金属部50に電気的に接触接続されるので、その容器内表面51に汚れが付着した容器金属部50に負電圧を印加することできる。また、平面円板負電極45が所定の幅を有することで、容器開口部31の大きさが異なる金属容器11に対しても使用することができ、汎用性が向上する。
【００３０】
負電極５は、容器開口端32の全周と接触する必要はなく、一部が接触するものでもよい。したがって、負電極５は、平面ドーナツ状の平面円板負電極45ではなく、小片板状の電極であってもよい。また、負電極５は、板状ではなく、例えばクリップのように容器開口端32の一部を挟み込むものであったり、容器開口端32の外側52に接触するように形成されたりするものであってもよい。
【００３１】
棒状の正電極６は、蓋体３に形成される上部開口部61と、段差部43に形成される下部開口部44とを連通する正電極挿通部23に挿入される。当該正電極６には、電源７のプラス極に接続された金属製の板バネ８が圧接している。こうして電源７から正電極６に正電圧を印加することができる。さらに、正電極６と電源７のプラス極との接続を保ったまま、正電極６を上下方向に移動させることができる。また図３に示すように、段差部43内の正電極挿通部23の途中にはリング状のパッキン62が設けられている。板バネ８およびパッキン62で棒状の正電極６を保持することにより、正電極６が抜け落ちることを確実に防ぐことができる。洗浄装置１の使用時、正電極６は金属容器11内の洗浄液20中に挿入される。こうして正電極６により洗浄液20に正電圧を印加することができる。正電極６は例えばステンレス製である。
【００３２】
また、正電極６は、板バネ８およびパッキン62で保持されているので、正電極挿通部23から容易に抜き差しすることができる。したがって、金属容器11の洗浄後、正電極６に汚れ等が付着したり変色したりしたときには、正電極６を取り外して簡便に洗浄することができる。
【００３３】
正電極６の容器側先端63は例えば樹脂等の非導電性部材からなる先端カバー64で覆われており、正電極６と金属容器11とが直接接触しないように構成される。
【００３４】
図４は蓋体３の斜視図であり、蓋体３は、その下端65に係止爪部66を有する係止部67を備えている。係止爪部66は基台４の係止受け部68に係止され、蓋体３が基台４に固定されるようになっている。係止部67の両側部には、鉛直方向に所定の長さのスリット69が設けられており、係止部67が蓋体３の内側方向に押動可能になっている。したがって、係止部67を押して蓋体３の内側方向に押動することにより、蓋体３と基台４との取付けおよび取外しを容易に行うことができる。また、蓋体３の上面70には、正電極６が挿入される上部開口部61と、スイッチ25が露出するスイッチ開口部71とが設けられている。
【００３５】
また、洗浄装置１はスイッチ25によりＯＮ／ＯＦＦが可能であり、ＯＮの状態では通電して負電極５と正電極６との間に電圧が印加され、ＯＦＦの状態では通電が遮断される。使用者がスイッチ25を操作してＯＮ／ＯＦＦを切替えることも可能であるが、所望の時間でＯＦＦになるようにタイマー機能を持たせてもよい。
【００３６】
洗浄液20を入れた金属容器11の容器開口端32に洗浄装置１を載置し、スイッチ25を操作して負電極５と正電極６との間に電圧を印加すると、金属容器11に負電圧が印加され、洗浄液20に正電圧が印加される。こうして、洗浄液20は水酸化ラジカル（・ＯＨ）を発生し、当該水酸化ラジカルにより、金属容器11の容器内表面51に付着した汚れ物質を分解し、容器内表面51を洗浄することができる。
【００３７】
過酸化水素発生剤は、過炭酸塩、過硼酸塩および過硫酸塩のうちいずれか１種、または２種以上の混合物であることが好ましい。特に、過炭酸ナトリウム、過硼酸ナトリウムおよび過硫酸ナトリウムが入手しやすく望ましい。これらの過酸化水素発生剤を、単独で用いても、混合して用いてもよい。尚、過炭酸ナトリウム、過硼酸ナトリウムおよび過硫酸ナトリウムは、医薬部外品原料規格２００６に定められているものである。
【００３８】
容量が２００〜３０００ｍｌ程度の金属容器11に対しては、負電極５と正電極６との間に印加する電圧を１．５〜１５Ｖとし、過酸化水素発生剤の濃度を１〜１０ｗｔ％とすることで、所望の電流密度が得られ、１〜１０分で洗浄工程が完了する。電圧および過酸化水素発生剤濃度が低すぎると所望の時間内に洗浄が終わらず、逆に高すぎると電池21や過酸化水素発生剤が無駄になり望ましくない。
【００３９】
本実施例の洗浄装置１は、低電圧で動作するので、電源７として乾電池21等を使用可能である。この場合、感電を防止することができるので、安全に使用することができる。
【００４０】
本実施例では負電極５、正電極６および電源７が一体の装置となるので、洗浄装置１は小型で携帯性および収納性に優れている。
【００４１】
尚、電源７は乾電池21に限定されるものではなく、例えば、家庭用１００Ｖ交流電源を直流に変換するアダプタを使用してもよい。
【００４２】
また、図５に示すように、正電極６の一部を樹脂などの非導電性部材からなるカバー72で覆ってもよい。正電極６の一部をカバー72で覆うことにより、電流分布を調整することができる。特に魔法瓶では、止水性を確保するために、容器内面の開口部付近の直径が絞られ、径小となっている場合がある。このような場合、径小となっている径小部73で、正電極６と容器内面74の距離が小さくなり、電流分布が集中してしまう。これに対し、径小部73付近の正電極６の部分をカバー72で覆うことにより、均一な洗浄性を得ることができる。
【００４３】
このように本実施例では、請求項１に対応して、正立させたときに上面に容器開口部31を有する金属容器11の内部を、金属容器11内に洗浄液20を満たして洗浄する、金属容器11を洗浄する洗浄装置１において、基台４と、基台４に設けられる負電極５と、基台４に設けられた正電極挿通部23に挿通される棒状の正電極６と、基台４上に設けられ、負電極５と正電極６との間に電圧を印加する電源７とを備え、金属容器11を洗浄する際、負電極５は金属容器11の容器金属部50に電気的に接続され、正電極６は、水に溶けると過酸化水素を発生する過酸化水素発生剤が溶かされた洗浄液20中に、容器開口部31から挿入され、電圧印加時に発生する水酸化ラジカルで容器内表面51を洗浄することで、過酸化水素発生剤を水に溶かすだけで、汚れ物質の分解力が強い水酸化ラジカルを発生する過酸化水素と、乾電池21程度の低電圧で洗浄液20を電気分解できるようにする電解質との両方を容易に得ることができる。そして、負電圧が印加された金属容器11の容器内表面51に発生する水酸化ラジカルにより、付着した飲料物汚れを短時間で分解し、容器内表面51をきれいに洗浄することができる。
【００４４】
また、このように本実施例では、請求項４に対応して電源７のプラス極に接続された金属製の板バネ８が圧接していることで、正電極６の位置を上下方向に移動させることができるので、深さが異なる容器であっても、容器と正電極６との距離を適正に変化させることで、容器内表面51の電流分布が一様になり、洗浄ムラを小さくすることができる。
【００４５】
また、このように本実施例では、請求項５に対応して、過酸化水素発生剤が過炭酸塩、過硼酸塩および過硫酸塩のうちいずれか１種、または２種以上の混合物であることで、過炭酸塩、過硼酸塩および過硫酸塩は酸素系漂白剤として容易に入手することができるので、過酸化水素発生剤を容易に得ることができる。
【００４６】
また、このように本実施例では、請求項６に対応して、負電極５が、金属がむき出しの容器開口端32に載置されることで、負電極５が容器金属部50に電気的に接触接続されるので、洗浄装置１の負電極５を容器開口端32に載置するだけで、負電極５を容器開口端32のむき出しの金属に電気的に接触接続させることができる。また、正立させた金属容器11内に洗浄液20を満たし、容器開口部31に洗浄装置１の負電極５を載置するので、洗浄装置１の負電極５と金属容器11との直接接続、および、洗浄液20を介した正電極６と金属容器11との接続が容易であるとともに、安定した設置状態で金属容器11を洗浄することができる。
【実施例２】
【００４７】
図６は、本発明の実施例２を上記実施例１と同一部分と同一符号を付し、その詳細な説明を省略して詳述する。この例では、正電極６’は容器内表面51の形状に沿った形状に形成されている。実施例１の正電極６は金属容器11のほぼ中心に位置するのに対し、本実施例の正電極６’は中心位置から容器内表面51により近い位置に配置される。尚、図６では、正電極６’は二股に分かれているが、容器内表面51の電流分布がより大きく且つ均一になるように、三股以上に分かれるようにしてもよい。このように本実施例でも、上記実施例１と同様の作用および効果を奏し、さらに、正電極６’を容器内表面の形状に沿わせることで、正電極６の場合に比べ、正電極６’を容器内表面51により近づけることができる。
（金属開口端が樹脂で被覆された金属容器を洗浄する洗浄装置）
【実施例３】
【００４８】
図７は、本発明の実施例３を上記実施例１と同一部分に同一符号を付し、その詳細な説明を省略して詳述する。同図の金属容器11’は、実施例１と同様に金属製真空二重容器である。しかしながら、当該金属容器11’では、内容器14および外容器17のそれぞれの上部開口18が接合された金属開口端75が、樹脂製の注ぎ口部材81および取手部材82に被覆されている。したがって、金属容器11’の容器開口端32は金属がむき出しになっておらず、実施例１の洗浄装置１をそのまま使用することができない。そこで、本実施例の洗浄装置１’は、実施例１の洗浄装置１と組み合わせて使用される補助部材９を備える。補助部材９は例えば樹脂製である。
【００４９】
図８〜１０は、本実施例の補助部材９を示している。補助部材９は、上円筒部83、上円筒部83よりも径小の中円筒部84、さらに中円筒部84よりも外周が径小の下円筒部85を備える。上円筒部83内には、フランジ部86が設けられる。中円筒部84の上面87はフランジ部86の下面88に当接している。下円筒部85の上面89は中円筒部84の下面90に当接している。また、上円筒部83は、図１０に示すように、４つの補助段差部91に分割され、当該補助段差部91により、実施例１の洗浄装置１の落下を防止するようになっている。補助段差部91の数は４つに限定されるものではなく、他の個数であっても、分割せずに上円筒部83の第１底面92の全周を囲むものであってもよい。また、上円筒部83の中央には、段差部43に対応する段差部用孔95が形成される。そして、段差部用孔95の外周縁96から外側方向に向かって、補助電極用溝97が形成される。補助電極用溝97の外側端であって中円筒部の上端部には、水平方向にのびる回動軸98が設けられる。また、下円筒部85の側面には、本実施例の負電極たる補助電極99の位置に対応して、スリット100が設けられる。
【００５０】
図７に示すように、実施例１の洗浄装置１が補助部材９に載置される際、段差部43が段差部用孔95の上縁部101に接触している。当該洗浄装置１が安定して載置されるよう、図１０に示すように、段差部用孔95の上縁部101にテーパ-部102を設けてもよい。
【００５１】
また、補助部材９は、下方にのびた例えばステンレス製の補助電極99を備える。補助電極99は、補助電極用溝97から突出した突出電極部103と、補助部材９の下方にのび、容器内の容器金属部50に接触する接触電極部104とを備える。そして、補助電極99の下端（先端）110は自由端となっている。さらに、突出電極部103と接触電極部104との間には、補助部材の回動軸98に取付けられる回動部105が形成される。回動部105は回動軸98の直径に合わせた湾曲部106を有する。突出電極部103と湾曲部106との間には第１屈曲部107が形成され、湾曲部106と接触電極部104との間には第２屈曲部108が形成される。第１屈曲部107と第２屈曲部108とは逆方向に屈曲しており、突出電極部103が押下されると、補助電極99が回動軸98回りに回動し、接触電極部104が外方向に押し広げられる。接触電極部104が外方向に押し広げられる際、接触電極部104はスリット100の間を通るようになっている。したがって、接触電極部104は、少なくとも補助部材９の下円筒部85の外側まで押し広げられることができる。
【００５２】
補助部材９が容器開口端32'に載置されると、補助電極99は容器内部に挿入される。補助部材９の上に、実施例１の洗浄装置１を載置すると、突出電極部103と負電極５とが接触し、突出電極部103が押下される。突出電極部103が押下されると、補助電極99が回動軸98回りに回動し、接触電極部104が外方向に押し広げられる。押し広げられた接触電極部104は、容器内の容器金属部50である容器内金属部109に接触して電気的に接続され、容器内金属部109に負電圧が印加される。こうして洗浄装置１’を容器開口端32'に載置するだけで、容器内金属部109に負電圧を印加することができる。
【００５３】
図７においては、中円筒部84の第２底面93が容器開口端32'に接触している。しかしながら、容器開口端32'の直径の大きさに応じて、上円筒部84の第１底面92または下円筒部85の第３底面94が容器開口端32'に接触するようになっている。こうして、本実施例の洗浄装置１’は、容器開口部31の大きさが異なる金属容器11’に対応することができ、汎用性に優れている。
【００５４】
このように本実施例では、請求項７に対応して、基台４が載置される補助部材９をさらに備え、補助部材９は正立させたときに下方にのびた補助電極99を有し、補助部材９が容器開口端32’に載置されると、補助電極99は容器内部に挿入され、補助電極99の一端が負電極５と電気的に接触接続し、補助電極99の接触電極部104が容器内の容器金属部50である容器内金属部109に接触して電気的に接続されることで、負電極５が補助電極99を介して容器金属部50に電気的に接続されるので、容器開口端32’が樹脂などの非導電性部材たる注ぎ口部材81および取手部材82で覆われていても、洗浄装置１’を容器開口端32’に載置するだけで、容器内部に入った負電極たる補助電極99を容器内金属部109に電気的に接触接続させることができる。
【実施例４】
【００５５】
図１１は、本発明の実施例４を上記実施例１〜３と同一部分と同一符号を付し、その詳細な説明を省略して詳述する。本実施例の洗浄装置１’は、上記実施例３とは形状が異なる補助電極99’を備える。この例では、負電極たる補助電極99’は径小部73よりも大きい直径を有するコイル状電極111である。このコイル状電極111を径小部73にねじ込むことで、コイル状電極111は、付勢された状態で容器内金属部109に電気的に接触接続される。このように本実施例でも、上記実施例３と同様の作用および効果を奏し、さらに、補助電極99’と容器内金属部109との接触面積を大きくすることができる。
【００５６】
尚、本発明は、本実施例に限定されるものではなく、本発明の要旨の範囲内で種々の変形実施が可能である。例えば、正電極６は複数であってもよい。正電極６を複数設けることで、容器内表面51の電流分布がより大きく且つ均一になる。また、実施例３の洗浄装置１’は、実施例１の洗浄装置１と補助部材９とが別体である場合を示したが、これらが一体に形成されてもよい。また、補助電極99は１本でも複数本でもよい。さらに、補助電極99は、予め外側に広がるように付勢されていても、下方鉛直方向にのびるものであってもよい。
【符号の説明】
【００５７】
１，１’  洗浄装置
４  基台
５  負電極
６  正電極
７  電源
８  板バネ
９  補助部材
11，11’  金属容器
20  洗浄液
23  正電極挿通部
31  容器開口部
32，32’  容器開口端
50  容器金属部
51  容器内表面
99，99’  補助電極（負電極）
104  接触電極部
109  容器内金属部